(57)【特許請求の範囲】
【請求項１】
廊下の対向する壁面間や部屋の出入口に配置してペットの侵入を阻止するペット侵入防止柵であって、
面状の柵本体と、該柵本体の両端部における表裏両面の両方又はいずれか一方の面に選択的に且つ着脱可能に装着される脚部とを備えており、
前記各脚部は、前記面状の柵本体の表側と裏側とで柵本体の幅方向にずれた位置に配置され、前記柵本体を貫通する貫通孔にビスを介して前記各脚部が前記柵本体に着脱可能に装着されたことを特徴とするペット侵入防止柵。
【請求項２】
請求項１に記載のペット侵入防止柵において、
前記面状の柵本体の左右最外側の各端面が前記廊下の壁面に当接されうるように平坦に形成されたことを特徴とするペット侵入防止柵。
【請求項３】
請求項１又は２に記載のペット侵入防止柵において、
前記面状の柵本体の左右最外側の各端面には、伸長することにより前記各端面に対向する壁を押圧する取付け部が設けられたことを特徴とするペット侵入防止柵。
【発明の詳細な説明】
【技術分野】
【０００１】
本発明は、ペットの進入を阻止するペット侵入防止柵に関する。
【背景技術】
【０００２】
室内で飼われているペットの移動を制限するためのものとして、ペット侵入防止柵がある。例えば、パネルの各両端側に設けられた押圧部により、廊下の両壁に押圧することでパネルが支持されるペット進入防止柵がある（例えば、特許文献１）。
【０００３】
しかしながら、このようなペット侵入防止柵は、その取り付け作業が煩雑であり、両側にパネルを支持するための支柱や壁がない場合には取り付けることができないといった難点があったことから、据え置き型のペット侵入防止柵が提案されていた（特許文献２）。
【０００４】
当該ペット侵入防止柵は、正面パネルと、正面パネルの両側にそれぞれ設けられこの正面パネルに対して交差する方向に延出された側面パネルとを備えている。つまり、このペット侵入防止柵は上面視でコ字状となることから、自立可能であり、両側に支柱がない場所であってもペット侵入防止柵を設置することができた。また、当該ペット侵入防止柵は取り付け作業が不要であるので、いつでも、簡単に、ペット侵入防止柵を設置できるといった効果もあった。
【特許文献１】特開２００２−２１３７６号公報
【特許文献２】特開２００６−４２７９２号公報
【発明の開示】
【発明が解決しようとする課題】
【０００５】
しかしながら、このようなペット侵入防止柵の設置のためには、一定範囲の空間が必要であった。
【０００６】
すなわち、従来のペット侵入防止柵は正面パネルの両端側に側面パネルが設けられておりコ字状となるため、その分の設置場所を確保する必要があった。特に、部屋の出入り口にペット侵入防止柵を配置する場合、出入り口の周囲をコ字状に囲むようにペット侵入防止柵を配置しなければならず、そのため、居住空間が狭くなってしまうといった問題があった。
【０００７】
また、正面パネルを所定の位置に配置したい場合があっても、側面パネルが延出される場所に靴箱や本棚等の障害物があるときは、これらを適当な場所に移動する必要があった。
【０００８】
本発明はこのような状況に鑑みてなされたものであり、自立可能であり、且つその設置により居住空間を狭くすることもない面状のペット侵入防止柵を提供することを目的とする。
【課題を解決するための手段】
【０００９】
本発明に係るペット侵入防止柵は、廊下の対向する壁面間や部屋の出入口に配置してペットの侵入を阻止するペット侵入防止柵であって、面状の柵本体と、該柵本体の両端部における表裏両面の両方又はいずれか一方の面に選択的に且つ着脱可能に装着される脚部とを備えており、前記各脚部は、前記面状の柵本体の表側と裏側とで柵本体の幅方向にずれた位置に配置され、前記柵本体を貫通する貫通孔にビスを介して前記各脚部が前記柵本体に着脱可能に装着されたことを特徴とする。
【００１０】
本発明によれば、面状の柵本体に脚部が着脱可能に装着されていることから、部屋の出入り口周囲の壁面にペット侵入防止柵を配置する場合には、その壁面に向ける側に装着された脚部を取り外すことにより、柵本体を壁面に間隙を生じさせずに当接させて、ペット侵入防止柵を配置することができる。これにより、余分な空間を占めずに部屋の入り口を完全に封鎖することができる。
【００１１】
また、ペット侵入防止柵を配置する予定の場所の近辺に障害物があり脚部がその障害  物に当たってしまう場合であっても、脚部は、柵本体の両端部における表裏両面の両方  又はいずれか一方の面に選択的に且つ着脱可能に装着されているためその脚部のみを分  離することが可能であるので、障害物を移動させずに当該予定の場所にペット侵入防止  柵を配置することができる。さらに、前記各脚部は、前記面状の柵本体の表側と裏側と で柵本体の幅方向にずれた位置に配置され、前記柵本体を貫通する貫通孔にビスを介し て前記各脚部が前記柵本体に着脱可能に装着されているので、各脚部が幅方向に一致し て配置されるのではなく、各脚部が前記柵本体の表側と裏側とで柵本体の幅方向にずれ た位置に配置され、脚部の取り付け部分が、その脚部とは反対側に取り付けられた脚部 と直線的に重なり合うことはないので、当該各脚部はその柵本体の表側と裏側とに支障 なく取り付けることができ、その係脱も容易に行うことができる。
【００１２】
また、上記のペット侵入防止柵において、前記面状の柵本体の左右最外側の各端面が前記廊下の壁面に当接されうるように平坦に形成されたことを特徴としてもよい。
【００１３】
この構成によれば、柵本体の左右最外側の各端面が廊下の壁面に当接されうるように略平坦な面状に形成されているから、廊下の壁面間にペット侵入防止柵を配置する場合に、柵本体端部と廊下の壁面間に隙間を殆ど生じさせずに、ペット侵入防止柵を配置することができるので、隙間が広い場合に生じえた、ペットがその広い隙間を利用してペット侵入防止柵を移動させてしまうといった事態を防止することができる。
【００１６】
また、上記のペット侵入防止柵において、前記柵本体の左右最外側の各端面には、伸長することにより前記各端面に対向する壁を押圧する取付け部（アジャスター）が設けられたことを特徴としてもよい。
【００１７】
この構成によれば、柵本体の左右最外側の各端面に設けられた取付け部が、伸長することにより前記各端面に対向する壁を押圧するものとされているので、ペット侵入防止柵を廊下の壁の間に配置する場合には、取付け部を伸ばすことにより、ペット侵入防止柵を廊下の壁間にアジャストさせて固定することができる。したがって、ペット侵入防止柵に、着脱可能に装着された脚部のほか当該取付け部が設けられることにより、ペット侵入防止柵の配置方法の選択肢が増えるので、ペット侵入防止柵を使い勝ってのよいものとすることができる。
【発明の効果】
【００１８】
本発明によれば、部屋の出入り口周囲の壁面にペット侵入防止柵を配置する場合に、その壁面に向ける側に装着された脚部を取り外すことにより、面状の柵本体両端部の一方の面をその壁面に間隙を生じさせずに当接させて、ペット侵入防止柵を配置することができる。これにより、余分な空間を占めずに部屋の入り口を封鎖することができる。
【００１９】
また、ペット侵入防止柵を配置する予定の場所の近辺に障害物があり脚部がその障害物に当たってしまう場合であっても、脚部は、柵本体の両端部における表裏両面の両方又はいずれか一方の面に選択的に且つ着脱可能に装着されているためその脚部のみを分離することが可能であるので、障害物を移動させずに当該予定の場所にペット侵入防止柵を配置することができる。
【発明を実施するための最良の形態】
【００２０】
以下、本発明の実施の形態を図面に基づいて説明する。
【００２１】
図１は、本発明の実施の形態に係るペット侵入防止柵の斜視図であり、図２は、当該ペット侵入防止柵の平面図であり、図３は、当該ペット侵入防止柵の分解図である。図４は、当該ペット侵入防止柵を部屋の出入り口に配置した状態を示した概略図である。図５は、当該ペット侵入防止柵の取付け部の概略図である。
【００２２】
本発明の実施の形態に係るペット侵入防止柵１は、面状の柵本体２と、柵本体２を自立させるための脚部３１ａ，３１ｂ，３２ａ，３２ｂ，を備えている。
【００２３】
面状の柵本体２は、幅方向に相互に摺動可能に連結された２枚のサブパネル２ａ，２ｂにより構成され、２枚の重ね合わせ量により柵本体２の幅が自在に調整できるようになっている。
【００２４】
各サブパネル２ａ，２ｂは、上枠２１ａと、下枠２１ｂに着脱可能に嵌めこまれる鉄製格子状の面パネル５０とを備えてなる。
【００２５】
一方のサブパネル（以下、第１サブパネルという。）２ａの上枠２１ａと下枠２１ｂには、ザグリを有した貫通穴２３ａが等間隔で連続的に設けられている。他方のサブパネル（以下、第２サブパネルという。）２ｂの上枠２１ａと下枠２１ｂには、それぞれ２箇所に貫通穴２３ｂが設けられている。また、第１サブパネル２ａと第２サブパネル２ｂとを重ね合わせたときに、第２サブパネル２ｂの各貫通穴２３ｂが第１サブパネル２ａのいずれかの貫通穴２３ａと一致するように、各貫通穴２３ｂが配置されている。そして、第１サブパネル２ａの貫通穴２３ａと第２サブパネル２ｂの貫通穴２３ｂとを一致させて連通した穴に、ボルトを挿通し、その先端にナットを螺合することにより、第１サブパネル２ａと第２サブパネル２ｂが相互に係合される構造とされている。このような構造により、第１サブパネル２ａと第２サブパネル２ｂの重ね合わせ量を容易に変更することができる。すなわち、面状の柵本体２は、幅方向に相互に摺動可能に連結された２枚のサブパネル２ａ，２ｂから構成されているので、廊下の壁面１３，１３間や部屋の出入り口１０の幅に応じて柵本体幅を調整して通路を完全に封鎖することができる。したがって、ペットの侵入を確実に阻止することができる。
【００２６】
また、貫通穴２３ａに設けられたザグリは、ボルトの頭部とナットが嵌り込むような寸法とされている。これにより、ボルトの頭部とナットが上枠２１ａ，下枠２１ｂの表面から突出しないので外観が向上する。
【００２７】
また、各サブパネル２ａ，２ｂの上枠２１ａと下枠２１ｂの左右両外側には側枠体２５ａ，２５ｂが配設され、これら側枠体２５ａ，２５ｂの底面４１，４１は、床に当接するように構成されている。
【００２８】
側枠体２５ａ，２５ｂの表裏両面の下部には、それぞれ上下２個ずつのビス用貫通孔が左右に並設されている。例えば、図３において左列の２個のビス用貫通孔２５１ａ，２５１ａには表側からビス３３，３３を入れて、裏側の左脚部３２ａのビス孔２５２ａ，２５２ａにねじ込んで脚部３２ａを側枠体２５ａに着脱可能に取付ける。また、右列の２個のビス用貫通孔２５１ｂ，２５１ｂには、裏側からビス３３，３３を入れて表側の左脚部３１ａのビス孔２５２ｂ，２５２ｂにねじ込んで脚部３１ａを側枠体２５ａに着脱可能に取付ける。側枠体２５ｂの下部に着脱自在に取付ける脚部３１ｂ，３２ｂも前記した脚部３１ａ，３２ａと同様に取付ける。
【００２９】
このような構成により、面状の柵本体２に設けられた脚部３１ａ，３１ｂ，３２ａ，３２ｂのうち、例えば裏側に装着された脚部３２ａ，３２ｂを２個とも取り外しても、表側に装着された２個の脚部３１ａ，３１ｂと２枚の側枠体２５ａ，２５ｂの底面４１，４１が床に当接することとなり、４点でペット侵入防止柵１が支持されることとなるので、脚部３２ａ，３２ｂが取り外された側を壁等に凭れかけさせることにより、ペット侵入防止柵１を安定して自立させることができる。なお、各サブパネル２ａ，２ｂの上枠２１ａと下枠２１ｂの両内側には、支持枠２９ａ，２９ｂが配設され、底面４２を床に当接させる構成とされている。
【００３０】
このような構成の柵本体２の表裏両面２７，２８は、部屋等の出入り口１０の周囲の壁面１１に当接されうるように略平坦な面状に形成されている（図４参照）。
【００３１】
また、柵本体２の柵本体両端部の各端面２６ａ，２６ｂは廊下の壁面１３に当接されうるように平坦に形成されている。すなわち、第１サブパネル２ａの側枠体２５ａの端面２６ａと第２サブパネル２ｂの側枠体２５ｂの端面２６ｂは、平坦に形成されている。
【００３２】
なお、面状の柵本体２は、２枚のサブパネル２ａ，２ｂで構成することに限定されず、３枚以上のサブパネルにより構成してもよい。また、面状の柵本体２を１枚のパネルで構成してもよい。
【００３３】
脚部３１ａ，３１ｂ，３２ａ，３２ｂは、前記したように柵本体２の柵本体両端部における表裏両面２７，２８の両方又はいずれか一方の面に選択的に且つ着脱可能に装着される。
【００３４】
ここで、他の実施例を説明する。
【００３５】
上記には、脚部３１ａ，３１ｂ，３２ａ，３２ｂにより自立する構成のペット侵入防止柵１を示したが、このようなペット侵入防止柵１において、さらに、柵本体２の左右最外側の各端面に取付け部（アジャスター）６１，６１を設け、廊下の対向する壁面の間に配置する場合に当該取付け部６１，６１による壁への押圧力によりペット侵入防止柵１自体が固定されるものとして、ペット侵入防止柵１を構成してもよい。なお、このような方法でペット侵入防止柵１を使用する場合は、脚部３１ａ，３１ｂ，３２ａ，３２ｂは取り外される。
【００３６】
取付け部６１は、柵本体２の左右最外側の端面から伸縮自在に設けられており、伸長することにより各端面２６ａ，２６ｂに対向する壁等を押圧するものとして構成される。
【００３７】
具体的には、取付け部６１は、柵本体２の側枠体２５ｂの端面２６ｂに形成されたネジ穴６７に螺入されるボルト６２と、ボルト６２を所定の位置に固定する固定ノブ６３とを備える。ボルト６２の一端には、廊下の壁等に当接する当接面を備えた頭部６２ａが設けられている。頭部６２ａは、合成樹脂により形成されすべり止め加工されている。固定ノブ６３は、ボルト６２の軸芯６２ｂに対して回転自在に配置されており、固定ノブ６３を柵本体２の端面２６ｂに当接させた状態で、さらに、ボルト６２がねじ込まれる回転方向と同一の回転方向に回転することにより、ボルト６２を固定するものとされている。
【００３８】
すなわち、取付け部６１は、ボルト６２をネジ穴６７にねじ込むことにより、頭部６２ａが柵本体２の端面２６ｂに近接し、反対にボルト６２を回すことにより頭部６２ａが柵本体２の端面２６ｂから離れるようにされており、また、壁に押接状態とされたボルト６２が勝手に弛緩しないように固定ノブ６３によりボルト６２がアジャスト固定されるように構成されている。
【００３９】
以上より、本発明に係るペット侵入防止柵１は、面状の柵本体２に脚部３１ａ，３１ｂ，３２ａ，３２ｂが着脱可能に装着されていることから、部屋の出入り口１０の周囲の壁面１１にペット侵入防止柵１を配置する場合には、その壁面１１に向ける側に装着された脚部３１ａ，３１ｂ（３２ａ，３２ｂ）を取り外すことにより、柵本体２を壁面１１に間隙を生じさせずに当接させて、ペット侵入防止柵１を配置することができる。これにより、余分な空間を占めずに部屋の入り口を完全に封鎖することができる（図４参照）。
【００４０】
また、ペット侵入防止柵１を配置する予定の場所の近辺に障害物があり脚部３１ａ，３１ｂ，３２ａ，３２ｂがその障害物に当たってしまう場合であっても、脚部３１ａ，３１ｂ，３２ａ，３２ｂは、柵本体２の両端部における表裏両面２７，２８の両方又はいずれか一方の面に選択的に且つ着脱可能に装着されているため、その障害物を回避して当該予定の場所にペット侵入防止柵１を配置することができる。
【００４１】
また、上記のペット侵入防止柵１において、柵本体２の左右最外側の各端面が廊下の壁面１３に当接されうるように略平坦な面状に形成されているから、廊下の壁面１３，１３間にペット侵入防止柵１を配置する場合に、柵本体両端部と廊下の壁面１３，１３間に隙間を殆ど生じさせずに、ペット侵入防止柵１を配置することができるので、隙間が広い場合に生じえた、ペットがその広い隙間を利用してペット侵入防止柵１を移動させてしまうといった事態を防止することができる。
【００４２】
また、上記のペット侵入防止柵１において、各脚部３１ａ，３２ａ（３１ｂ，３２ｂ）は、幅方向に一致して配置されるのではなく、各脚部３１ａ，３２ａ（３１ｂ，３２ｂ）が柵本体２の表側と裏側とで柵本体２の左右幅方向にずれた位置に配置されることから、脚部３１ａ，３２ａ（３１ｂ，３２ｂ）の取り付け部分が、その脚部３１ａ（３１ｂ）とは反対側に取り付けられた脚部３２ａ（３２ｂ）と直線的に重なり合うことはないので、当該各脚部３１ａ，３２ａ（３１ｂ，３２ｂ）はその柵本体２の表側と裏側とに支障なく取り付けることができ、その係脱も容易に行うことができる。
【００４３】
また、上記のペット侵入防止柵１において、柵本体２の左右最外側の各端面には、伸長することにより各端面に対向する壁を押圧するための伸縮自在の取付け部６１が設けられていることから、ペット侵入防止柵１を廊下の壁１３，１３の間に配置する場合には、取付け部６１を伸ばすことにより、ペット侵入防止柵１を廊下の壁間にアジャストさせて固定することができる。したがって、ペット侵入防止柵１に、着脱可能に装着された脚部３１ａ，３１ｂ，３２ａ，３２ｂのほか当該取付け部６１が設けられることによりペット侵入防止柵１の配置方法の選択肢が増えるので、ペット侵入防止柵１を使い勝ってのよいものとすることができる。
【図面の簡単な説明】
【００４４】
【図１】本発明の実施の形態に係るペット侵入防止柵の斜視図である。
【図２】本発明の実施の形態に係るペット侵入防止柵の平面図である。
【図３】本発明の実施の形態に係るペット侵入防止柵の分解図である。
【図４】本発明の実施の形態に係るペット侵入防止柵を部屋の出入り口に配置した状態を示した概略図である。
【図５】本発明の実施の形態に係るペット侵入防止柵の取付け部の概略図である。
【符号の説明】
【００４５】
１                ペット侵入防止柵
２                面状の柵本体
２ａ，２ｂ        サブパネル
２１ａ            上枠
２１ｂ            下枠
３１ａ，３１ｂ，３２ａ，３２ｂ    脚部
３３              ビス
２６ａ，２６ｂ    柵本体の左右最外側の端面
２７              柵本体の表面
２８              柵本体の裏面
６１              取付け部（アジャスター）
【図１】
0004875019.tif 000002
【図２】
0004875019.tif 000003
【図３】
0004875019.tif 000004
【図４】
0004875019.tif 000005
【図５】
0004875019.tif 000006